(57)【特許請求の範囲】
【請求項１】
上方の供給路から供給される球体を入れ込んで案内する螺旋状部分の軸心を縦方向にして設けた送出体を駆動源により回転することにより前記球体を下方の送出路に送出するとともに、前記螺旋状部分の回転量を制御することにより前記球体の送出数量を制御するようにした球体送出装置であって、
前記球体を前記螺旋状部分の螺旋の傾斜と一致させた傾斜で案内して当該螺旋状部分に入れ込む入れ込み側の通路（以下、入込通路という）と、前記球体を前記螺旋の箇所で下方側に案内する通路（以下、下方案内通路という）との連続箇所を前記送出における前記球体の待機位置とする球体案内手段を具備し、
前記待機位置では、前記球体は、前記下方案内通路の壁部に受け止められていることを特徴とする球体送出装置。
【請求項２】
前記供給路の下端側に属する縦方向の通路を前記螺旋への入口付近で前記入込通路に連続させることにより、前記入込通路の上方側に堆積した前記球体の重量による前記螺旋状部分の回転に対する加勢を低減する第１の加勢低減手段
を付加したことを特徴とする請求項１記載の球体送出装置。
【請求項３】
前記螺旋を一重の螺旋にして形成するとともに、前記螺旋のピッチと凹部の直径とを前記球体の直径と同程度の寸法にして形成することにより前記入込通路の上方に堆積した前記球体の重量による前記螺旋状部分の回転に対する加勢を低減する第２の加勢低減手段
を付加したことを特徴とする請求項１または請求項２記載の球体送出装置。
【請求項４】
前記送出体を電動機によって駆動するとともに、前記電動機を着磁した回転子をもつ電動機によって構成することにより前記電動機の固定子と前記回転子との磁気的な吸引力により前記電動機の非通電時における前記螺旋状部分の回転制止を行わせる非通電時制止手段
を付加したことを特徴とする請求項１から請求項３のいずれかに記載の球体送出装置。
【請求項５】
前記螺旋状部分と一体にして配置した回転検出板の切欠部分によって検出した回転量検出出力にもとづいて前記回転量を制御する回転量制御手段  を付加したことを特徴とする請求項１から請求項４のいずれかに記載の球体送出装置。
【請求項６】
前記縦方向通路または前記送出路に入口側に属する通路部分に配置した前記球体の検出部分により検出した前記球体の通過数量が、前記制御を行う制御部分に与えた前記球体の送出数量とが一致するまで前記螺旋状部分の回転を行わせることにより前記送出数量の前記球体を送出する送出数量制御手段を付加したことを特徴とする請求項１から請求項５のいずれかに記載の球体送出装置。
【請求項７】
前記検出部分により前記球体の滞留を検出した検出出力にもとづいて前記螺旋状部分の回転を停止する制御を行う滞留停止制御手段
を付加したことを特徴とする請求項６記載の球体送出装置。
【請求項８】
請求項１から請求項７のいずれかの球体送出装置を具備することを特徴とするパチンコ台島装置。
【発明の詳細な説明】
【０００１】
【発明の属する技術分野】
本発明は、金属球などの球体を計数しながら送出する装置（この発明において、球体送出装置という）ならびにその利用装置、例えば、パチンコ台島装置に関するものである。
【０００２】
【従来の技術】
この種の球体送出装置は、パチンコ遊技機またはパチンコ遊技機に跳ね返しゲート機能やスロットマシンの機能を設けたパチンコ・スロット遊技機など（以下、パチンコ台という）の遊技に用いる金属球などの球体、すなわち、遊技球を計数しながら送出する装置、または、ボールベアリングなどに用いる金属球などの球体を計数しながら送出する装置などに用いることができ、前者の場合の装置として、図７のような構成（以下、第１従来技術という）が周知である。なお、以下に説明する各図において、同一の符号で示す部分は同一の機能をもつ部分である。
【０００３】
なお、パチンコ台を複数台配置して１つのブロック状に構成したものをパチンコ台島装置と言い、このパチンコ台島装置は、パチンコ店の内部において、あたかも複数の「島」を配置したように見えるので、通称を「島」とも呼ばれている。
【０００４】
図７において、パチンコ台島装置５００には、各パチンコ台１００で使用した遊技球１０（図示せず）を、下方の貯留槽、すなわち、下部タンク８１に貯留しておき、貯留した遊技球１０を、例えば、揚送路８３の下方に設けた揚送部分８３Ａによって上方に押し揚げることにより、上方の貯留槽、すなわち、上部タンク８２に送り込んで貯留する。
【０００５】
そして、上部タンク８２に貯留した遊技球１０を、上部タンク８２の排出口８２Ａとパチンコ台１００との間に設けた供給路（図示せず）を経てパチンコ台１００に供給するという遊技球１０の循環構成を設けてあり、さらに、排出口８２Ａと後記の球体送出装置２５０との間に設けた供給路（図示せず）を経て、遊技者に貸付けるための遊技球１０を送出路７０から送出し、その遊技球１０を、遊技者がパチンコ台１００の遊技用受皿１０１に入れて遊技に使用するという経路をたどるように構成してある。
【０００６】
また、各パチンコ台１００ごとに、または、複数のパチンコ台１００ごとに、遊戯球１０の貸付けを行う遊戯球貸付装置２００を配置してあり、遊戯球貸付装置２００は、金銭処理装置２１０と、球体送出装置２５０とを主体にして構成してある。
【０００７】
金銭処理装置２１０は、紙幣入口２１１・硬貨入口２１２から入れ込まれた紙幣・硬貨を識別して、その金額に相当する遊技球１０を送出するための指令信号を球体送出装置２５０の制御部３０に与える。球体送出装置２５０の制御部３０は、金銭処理装置２１０からの指令信号にもとづいて、指令された数量の遊技球１０を送出路７０に送出する。なお、この他に、伝票・カードなどの入口と、この伝票・カードなどにもとづいて指定された金額に相当する遊技球１０を送出するための指令信号を球体送出装置２５０に与える構成を追加したものもある。
【０００８】
送出路７０の末端側の部分７０Ａは、不使用時には、下向き状態７０Ａのように姿勢づけて遊技の邪魔にならないようにでき、また、使用時には、横向き状態７０Ｂのように姿勢づけて、貸付ける遊技球１０を直接的に受皿１０１に入れ込むことができる。
【０００９】
そして、球体送出装置２５０の構成として、図８のような構成（以下、第２従来技術という）が特開平４−５８９７２号公報などにより、また、図９のような構成（以下、第３従来技術という）が特開平５−１３７８４１号公報などにより、さらに、図１０のような構成（以下、第４従来技術という）が特願平８−５２２６１号公報などにより開示されている。
【００１０】
図８の第２従来技術の構成において、供給路８２Ｂは、図７の排出口８２Ａと球体送出装置２５０との間に設けた供給路であって、供給路８２Ｂに下端側に属する縦方向の入込通路８２Ｂ１から球体送出装置２５０の縦方向通路６６の上方側に入れ込まれる。
【００１１】
縦方向通路６６に入れ込まれた遊技球１０は、送出体５２の停止動作によって移動を停止された位置が遊技球１０の送出に対する待機位置なっており、送出体５２の外周に設けた螺旋状部分５２Ｚの回転動作によって送出路７０の入口側に属する通路７０Ｄに連続する縦方向の通路、すなわち、縦方向通路７０Ｘの方に送出されるようになっている。
【００１２】
送出体５２は、減速歯車機構５３による連動機構を介して、電動機５４により回転させられており、また、螺旋状部分５２Ｚは軸心５２Ａを縦方向にして形成されており、さらに、遊技球１０の外周の一部を螺旋状部分５２Ｚの溝部分、すなわち、凹部５２Ｃに入れ込むとともに、遊技球１０の下方側を螺旋状部分５２Ｚの山部分、すなわち、凸部５２Ｂによって受け止めた制止状態の位置が遊技球１０の待機位置になっている。
【００１３】
そして、電動機５４により送出体５２の螺旋状部分５２Ｚが回転して、螺旋状部分５２Ｚの凸部５２Ｂの下端側にくると、遊技球１０を制止している凸部５２Ｂが無くなるので、遊技球１０が縦方向通路７０Ｘの方に送出されることによなる。
【００１４】
図８の構成の場合には、螺旋状部分５２Ｚは一重の螺旋なので、螺旋状部分５２Ｚが１回転するごとに、遊技球１０を１個ずつ送出することになる。つまり、二重の螺旋にすれば、１回転ごとに、遊技球１０を２個ずつ送出し、三重の螺旋にすれば、１回転ごとに、遊技球１０を３個ずつ送出することになる。
【００１５】
したがって、遊技球１０の送出を制御する図７の制御部３０により、螺旋状部分５２Ｚが送出する遊技球１０の数量に対応する相当する回転量だけ回転するように、送出体５２を駆動する電動機５４を動作させることによって、希望する数量の遊技球１０を送出できるような構成になっている。
【００１６】
また、図９の第３従来技術の構成では、図８の第２従来技術の構成における螺旋状部分５２Ｚの軸心５２Ａを、水平方向に変更するとともに、入込通路８２Ｂ１を水平方向に曲げた後に、再び垂直方向に曲げた通路の箇所を、遊技球１０の待機位置にしておき、その箇所の下方に配置した螺旋状部分５２Ｚに入れ込まれる。
【００１７】
そして、螺旋状部分５２Ｚに入れ込まれた遊技球１０は、螺旋状部分５２Ｚによって水平方向に移動させられた後に、螺旋状部分５２Ｚの凸部５２Ｂの切れ目、すなわち、右端から縦方向通路７０Ｘに落下させるように構成してある。
【００１８】
また、螺旋状部分５２Ｚを設けた送出体５２を駆動する電動機５４の軸５４Ａの反対側の箇所に回転検出器５５を設けて螺旋状部分５２Ｚの回転量を検出している。
【００１９】
また、回転検出器５５は、軸５４Ａに取り付けた回転検出板５５Ａと、この回転検出板５５Ａを挟んで対向するように配置した検出素子５５Ｂ・５５Ｃとによって、回転検出板５５Ａの切欠部分５５Ａ１と切り欠いていない板状部分５５Ａ２との差異を検出した回転量検出出力を図７の制御部３０に与えて、電動機５４を駆動することにより、希望する数量の遊技球１０を送出できるように構成している。
【００２０】
さらに、図１０の第４従来技術の構成では、入れ込まれる遊技球１０を螺旋状部分５２Ｚの凸部５２Ｂの外面で制止させておき、この制止させた位置を遊技球１０の待機位置にしている。
【００２１】
図１０において、入込通路８２Ｂ１の下端側は螺旋状部分５２Ｚの傾斜と対向する方向に曲げて設けてあり、入込通路８２Ｂ１から入れ込まれた遊技球１０は、螺旋状部分５２Ｚの凸部５２Ｂの外角５２Ｂ１または外面５２Ｂ２で受け止められるように構成してある。
【００２２】
そして、遊技球１０の送出動作は、遊技球１０が外角５２Ｂ１に沿って案内されながら、螺旋状部分５２Ｚの凸部５２Ｂの下端の切れ目の箇所まで案内された後に、その切れ目の箇所から縦方向通路７０Ｘに沿って落下するように構成してある。
【００２３】
【発明が解決しようとする課題】
上記の第２従来技術の構成では、供給路８２Ｂから入れ込まれて上方に堆積した遊技球１０の重量を螺旋状部分５２Ｚの凸部５２Ｂで受け止めているため、この凸部５２Ｂに相当に大きい重量がかかるほか、供給路８２Ｂから送行して入れ込まれる遊技球１０の余勢が螺旋状部分５２Ｚに与えられるので、送出体６１の部分が機械的な損傷をうけて故障し易いという不都合がある。
【００２４】
上記の第３従来技術の構成では、遊技球１０が螺旋状部分５２Ｚによって水平方向に移動させられる際に、遊技球１０を案内する壁部５６Ｘと遊技球１０の摩擦抵抗が生ずるため、この部分での摩耗による故障が生じ易く、また、送出体５２を駆動する電動機５４の動力を大きくしければならないので、大型高価な構成になるなどの不都合がある。
【００２５】
上記の第４従来技術の構成では、供給路８２Ｂに堆積した遊技球１０の重量は、図１０の〔受止状態〕のように、螺旋状部分５２Ｚの凸部５２Ｂの外面５２Ｂ２と、入込通路８２Ｂ１と縦方向通路７０Ｘとを連続させた内角部分７０Ｙとで受け止めている状態になっている。
【００２６】
したがって、内角部分７０Ｙと外面部分５２Ｂ２とには上方の堆積した遊技球１０の重圧が掛けられているので、遊技球１０が送出される際に、内角部分７０Ｙ・外面部分５２Ｂ２が摩耗し易く、この摩耗によって、内角部分７０Ｙ・外面部分５２Ｂ２間の距離が大きくなり、遊技球１０が「くさび」状態に挟み込まれて、螺旋状部分５２Ｚが回転不能になる故障が生ずるという不都合がある。
【００２７】
そして、こうした第２従来技術〜第４従来技術の球体搬送装置２５０の利用装置、例えば、上記の第１従来技術のパチンコ台島装置５００では、上記の故障を修理する期間だけ、パチンコ台１００の遊技を行えなくなり、その間の稼働損失を被るという不都合が生ずる。
このため、こうした不都合のない球体送出装置ならびにその利用装置、例えば、パチンコ台島装置の提供が望まれいるという課題がある。
【００２８】
【課題を解決するための手段】
この発明は、上記のような
上方の供給路から供給される球体を入れ込んで案内する螺旋状部分の軸心を縦方向にして設けた送出体を駆動源により回転することにより上記の球体を下方の送出路に送出するとともに、上記の螺旋状部分の回転量を制御することにより上記の球体の送出数量を制御するようにした球体送出装置において、
【００２９】
上記の球体を上記の螺旋状部分の螺旋の傾斜と一致させた傾斜で案内して当該螺旋状部分に入れ込む入れ込み側の通路、すなわち、入込通路と、上記の球体を上記の螺旋の箇所で下方側に案内する通路、すなわち、下方案内通路との連続箇所を上記の送出における上記の球体の待機位置とする球体案内手段を具備し、前記待機位置では、前記球体は、前記下方案内通路の壁部に受け止められている第１の構成と、
【００３０】
この第１の構成において、
上記の供給路の下端側に属する縦方向の通路を上記の螺旋への入口付近で上記の入込通路に連続させることにより、上記の入込通路の上方側に堆積した上記の球体の重量による上記の螺旋状部分の回転に対する加勢を低減する第１の加勢低減手段
を付加した第２の構成と、
【００３１】
上記の第１の構成・第２の構成において、
上記の螺旋を一重の螺旋にして形成するとともに、上記の螺旋のピッチと凹部の直径とを上記の球体の直径と同程度の寸法にして形成することにより上記の入込通路の上方側に堆積した上記の球体の重量による上記の螺旋状部分の回転に対する加勢を低減する第２の加勢低減手段
を付加した第３の構成と、
【００３２】
上記の第１の構成〜第３の構成において、
上記の送出体を電動機によって駆動するとともに、上記の電動機を着磁した回転子をもつ電動機によって構成することにより上記の電動機の固定子と上記の回転子との磁気的な吸引力により上記の電動機の非通電時における上記の螺旋状部分の回転制止を行わせる非通電時制止手段
を付加した第４の構成と、
【００３３】
上記の第１の構成〜第４の構成において、
上記の螺旋状部分と一体にして配置した回転検出板の切欠部分によって検出した回転量検出出力にもとづいて上記の回転量を制御する回転量制御手段
を付加した第５の構成と、
【００３４】
上記の第１の構成〜第５の構成において、
上記の縦方向通路または上記の送出路の入口側に属する通路部分に配置した上記の球体の検出部分により検出した上記の球体の通過数量が、上記の制御を行う制御部分に与えた上記の球体の送出数量とが一致するまで上記の螺旋状部分の回転を行わせることにより上記の送出数量の上記の球体を送出する送出数量制御手段
を付加した第６の構成と、
【００３５】
上記の第６の構成において、
上記の検出部分により上記の球体の滞留を検出した検出出力にもとづいて上記の螺旋状部分の回転を停止する制御を行う滞留停止制御手段
を付加した第７の構成と、
【００３６】
上記の第１の構成〜第７の構成による球体送出装置を設けたパチンコ台島装置による第８の構成と
により上記の課題を解決したものである。
【００３７】
【発明の実施の形態】
この発明の実施の形態として、この発明を上記の第１従来技術のパチンコ台島装置５００における球体送出装置２５０に適用した実施例を説明する。
【００３８】
【実施例】
以下、図１〜図６により実施例を説明する。図１〜図６の実施例の構成が、上記の図１０の第４従来技術の構成と異なる箇所は次の箇所である。
【００３９】
第１には、供給路８２Ｂの下端側から入れ込まれた遊技球１０の入込通路８２Ｂ１を螺旋状部分５２Ｚの螺旋の傾斜γに沿って案内する通路にして構成するとともに、遊技球１０を螺旋状部分５２Ｚの螺旋の箇所で下方側に案内する下方案内通路６５との連続箇所６５Ｘを遊技球１０送出における遊技球１０の待機位置とするように構成した箇所である。
【００４０】
したがって、上方の堆積した遊技球１０の重量と、遊技球１０の走行による衝撃とが、下方案内通路６５の壁部６５Ａで受け止められるので、螺旋状部分５２Ｚに対する遊技球１０の重量負荷と走行衝撃とが低減されることになる。
【００４１】
第２には、供給路８２Ｂに下端側に属する縦方向の通路８２Ｂ２を螺旋状部分５２Ｚの螺旋への入口付近８２Ｘで上記の入込通路８２Ｂ１に連続させて構成した箇所である。
【００４２】
したがって、入込通路８２Ｂ１の上方側に堆積した遊技球１０の重量が螺旋状部分７２Ｚに直接的に掛からないので、螺旋状部分５２Ｚの回転に対する加勢をを低減することができる。
【００４３】
第３には、螺旋状部分５２Ｚの螺旋を、図１・図２のように、一重の螺旋にして形成するとともに、螺旋のピッチＰ１、すなわち、凸部５２Ｂと次の凸部５２Ｂとの間の距離Ｐ１と、凹部５２Ｃの直径Ｄ２とを遊技球１０の直径Ｄ１と同程度の寸法にして形成した箇所である。なお、遊技球１０の直径Ｄ１は、例えば、約１０ｍｍであり、同程度とは、±１５％の範囲を言うものである。
【００４４】
したがって、螺旋状部分５２Ｚの螺旋の傾斜γが小さくなるため、入込通路８２Ｂ１の上方側に堆積した遊技球１０の重量が、螺旋状部分５２Ｚの回転に対する加勢を低減することができる。
【００４５】
第４には、図２のように、送出体５２を電動機５４で駆動するとともに、電動機５４を図４の〔電動機構成〕のうに、着磁した回転子Ｒ１をもつ電動機５４によって構成した箇所である。
【００４６】
そして、こうした電動機５４では、回転子Ｒ１と固定子Ｓ１との間の磁気的な吸引力によって回転子Ｒ１の回転が制止されているので、電動機５４の非通電時でも、堆積した遊技球１０の重量による螺旋状部分５２Ｚの回転を制止させることができる。
【００４７】
第５には、螺旋状部分５２Ｚと一体にして配置した回転検出板５５Ａの切欠部分５５Ａ２によって検出した回転量検出出力（図示せず）にもとづいて、例えば、制御部３０が、螺旋状部分５２Ｚの回転量を制御するように構成した箇所である。
【００４８】
したがって回転検出板５５Ａが螺旋状部分５２Ｚと一体にして配置されているため、歯車伝動機構５３Ｘなどの回転伝導部分に故障が生じて、電動機５４の軸５４Ａが空回りしているときには、回転検出板５５Ａが回転しないので、遊技球１０の送出数量を正確に制御できる。
【００４９】
第６には、下方案内通路６５または送出路７０の入口側に属する通路部分７０Ｄに配置した遊技球１０の検出部分Ｓ１２またはＳ１４により検出した遊技球１０の通過数量Ｎ１（図示せず）が、制御部３０に与えた遊技球１０の送出数量Ｎ２（図示せず）、例えば、金銭処理機２１０からの指令信号にもとづく送出数量とが一致するまで、例えば、制御部３０が回転量検出板５５Ａによる検出量を更に追加するようにして、螺旋状部分５２Ｚを回転させるように構成した箇所である。
【００５０】
ここで、例えば、上部タンク８２に貯留された遊技球１０が少なくなったなどの理由で、供給路８２Ｂから入込通路８２Ｂ１に入れ込まれる遊技球１０が途切れ途切れになった場合には、螺旋状部分５２Ｚが正確な回転量で回転したとしても、下方案内通路６５または送出路７０の入口側に属する通路部分７０Ｄに送出される遊技球１０の数量は不正確になる。
【００５１】
しかし、検出部分Ｓ１２またはＳ１４で検出した遊技球１０の通過数量Ｎ１は、送出路７０に入れ込まれた遊技球１０の数量になるので、回転量検出板５５Ａで検出した遊技球１０の送出数量よりも確実な送出数量になっているため、通過数量Ｎ１が制御部３０に与えた送出数量Ｎ２になるまで螺旋状部分５２Ｚを回転すれば、正確な送出数量を送出することができる。
【００５２】
第７には、検出部分Ｓ１２またはＳ１４によれば、遊技球１０が入れ込まれたまま、移動せずに滞留していることが検出できるので、この検出部分Ｓ１２またはＳ１４により遊技球１０の滞留を検出した検出出力（図示せず）にもとづいて螺旋状部分５２Ｚの回転を停止、例えば、制御部３０が電動機５３を強制的に停止して螺旋状部分５２Ｚの回転を停止するする制御を行うように構成した箇所である。
【００５３】
ここで、送出路７０に入れ込まれた遊技球１０が、例えば、遊技球受皿１０１に遊技球１０が一杯になっているなどの理由で、送出路７０に滞留しているときは、そのまま遊技球１０を送出し続けると、滞留した遊技球１０が下方案内通路６５に上端まで詰まり込んでしまい、球体送出装置２５０を故障させてしまうことになる。
【００５４】
しかし、検出部分Ｓ１２またはＳ１４によれば、遊技球１０が送出路７０に入れ込まれたまま滞留していることを検出できるので、この検出出力によって電動機５３を停止することにより螺旋状部分５２Ｚを停止させることができるので、上記の詰まり込みによる故障を回避することができる。
【００５５】
なお、この発明において、縦方向とは、垂直方向から垂直方向に対して±３０°程度までの傾斜させた範囲までの方向を含むものである。
【００５６】
つまり、この実施例は、概括的には、第１には、
上方の供給路８２Ｂから供給される球体、例えば、遊技球１０を入れ込んで案内する螺旋状部分５２Ｚの軸心５２Ａを縦方向にして設けた送出体５２を駆動源、例えば、電動機５３により回転することにより上記の球体、例えば、遊技球１０を下方の送出路７０に送出するとともに、上記の螺旋状部分５２Ｚの回転量を制御することにより上記の球体、例えば、遊技球１０の送出数量Ｎを、例えば、制御部３０が制御するようにした球体送出装置２５０において、
【００５７】
上記の供給路８２Ｂの下端側から入れ込まれた上記の球体、例えば、遊技球１０を上記の螺旋状部分５２Ｚの螺旋の傾斜γに沿って案内する入れ込み側の通路８２Ｂ１、すなわち、入込通路８２Ｂ１と、上記の球体、例えば、遊技球１０を上記の螺旋状部分５２Ｚの螺旋の部分で下方側に案内する通路６５、すなわち、下方案内通路６５との連続箇所６５Ｘを上記の送出における上記の球体、例えば、遊技球１０の待機位置とする球体案内手段
を設けた上記の第１の構成を構成しているものである。
【００５８】
第２には、上記の第１の構成において、
上記の供給路８２Ｂの下端側に属する縦方向の通路８２Ｂ２を上記の螺旋、すなわち、螺旋状部分５２Ｚへの入口付近８２Ｘで上記の入込通路８２Ｂ１に連続させることにより、上記の入込通路８２Ｂ１の上方側に堆積した上記の球体、例えば、遊技球１０の重量による上記の螺旋状部分５２Ｚの回転に対する加勢を低減する第１の加勢低減手段
を付加した上記の第２の構成を構成しているものである。
【００５９】
第３には、上記の第１の構成・第２の構成において、
上記の螺旋、すなわち螺旋状部分５２Ｚの螺旋を一重の螺旋にして形成するとともに、上記の螺旋のピッチＰ１と凹部５２Ｃの直径Ｄ２とを上記の球体、例えば、遊技球１０の直径Ｄ１と同程度の寸法にして形成することにより上記の入込通路８２Ｂ１の上方側に堆積した上記の球体、例えば、遊技球１０の重量による上記の螺旋状部分５２Ｚの回転に対する加勢を低減する第２の加勢低減手段
を付加した上記の第３の構成を構成しているものである。
【００６０】
第４には、上記の第１の構成〜第３の構成において、
上記の送出体５２を電動機５４によって駆動するとともに、上記の電動機５４を着磁した回転子Ｒ１をもつ電動機５４によって構成することにより上記の電動機５４の固定子Ｓ１と上記の回転子Ｒ１との磁気的な吸引力により上記の電動機５４の非通電時における上記の螺旋状部分５２Ｚの回転制止を行わせる非通電時制止手段
を付加した上記の第４の構成を構成しているものである。
【００６１】
第５には、上記の第１の構成〜第４の構成において、
上記の螺旋状部分５２Ｚと一体にして配置した回転検出板５５Ａの切欠部分５５Ａ２によって検出した回転量検出出力にもとづいて上記の回転量を、例えば、制御部３０が制御する回転量制御手段
を付加した上記の第５の構成を構成しているものである。
【００６２】
第６には、上記の第１の構成〜第５の構成において、
上記の下方案内通路６５または上記の送出路７０の入口側に属する通路部分７０Ｄに配置した上記の球体、例えば、遊技球１０の検出部分、例えば、検出部分Ｓ１２またはＳ１４により検出した上記の球体、例えば、遊技球１０の通過数量Ｎ１が、上記の制御を行う制御部分、例えば、制御部３０に与えた上記の球体、例えば、遊技球１０の送出数量Ｎ２とが一致するまで上記の螺旋状部分５２Ｚの回転を行わせることにより上記の送出数量Ｎの上記の球体、例えば、遊技球１０を送出する送出数量制御手段
を付加した上記の第６の構成を構成しているものである。
【００６３】
第７には、上記の第６の構成において、
上記の検出部分、例えば、検出部分Ｓ１２またはＳ１４により上記の球体、例えば、遊技球１０の滞留を検出した検出出力にもとづいて上記の螺旋状部分５２Ｚのの回転を停止、例えば、制御部３０が電動機５３を強制的に停止することにより螺旋状部分５２Ｚの回転を停止する制御を行う滞留停止制御手段
を付加した上記の第７の構成を構成しているものである。
【００６４】
第８には、パチンコ台島装置５００に上記の第１の構成〜第７の構成による球体送出装置２５０を設けた上記の第８の構成を構成していることになるものである。
【００６５】
そして、具体的には、図１において、箱体５６は、図３の鎖線５６Ｄの箇所で分割して形成したものを、図２の組付案内用の突起・案内穴５６Ａにより合致させて組み合わせた後に、組付用ねじ５６Ｂで一体に組み付けたものである。したがって、図２の下方案内通路６５の箇所は実際には断面になっていないが、説明を理解し易くするために、断面のハッチングを施したものである。
【００６６】
また、下方案内通路６５は、図３のように、遊技球１０を下方に配置した電動機５３・回転検出板５５Ａなどを避けて通れるようにするために、傾斜面６５Ｂを設けた通路にしてある。
【００６７】
なお、電動機５３・回転検出板５５Ａなどを入込通路８２Ｂ１よりも上方に配置して、例えば、図１０の第４従来技術の構成と同様に配置して、下方案内通路６５を真っすぐな縦方向のみの面をもつ通路に形成するとともに、螺旋状部分５２Ｚの下端部分を下方案内通路６５の中に入れ込んで構成することもできる。
【００６８】
そして、中間保持板５７は、図１の右側の中間部分に設けた開口部分５６Ｅから、図３のように、箱体５６の内部の設けた上下の保持用突起５６Ｆに差し込むようにして入れ込んで固定してある。
【００６９】
また、送出体５２の上端側の軸５２ａを箱体５６の上方側の壁部５６Ｒに設けた軸受穴５６ｘで保持するとともに、送出体５２の下端側の軸５２ｂを中間保持板５７に設けた軸受穴５７ｘで保持することより、送出体５２を箱体５６の内部に収納してある。
【００７０】
さらに、電動機５４の取付部分を取付用ねじ５４Ｂによって中間保持板５７に取り付けることにより、電動機５４を箱体５６の内部に収納するとともに、電動機５４の軸５４Ａに固定した歯車伝動機構５３Ｘの一方の歯車５３Ａを送出体５２に設けた他方の歯車５３Ｂと噛み合わせように配置してある。なお、歯車伝導機構５３Ｘは１対１の歯車機構にして高速度の送出制御を行えるよえにしてあるが、必要に応じて、減速歯車機構に変更することもできる。
【００７１】
送出体５２は、摩擦抵抗が少なく強靭な樹脂、例えば、ポリアセタール樹脂材で形成してあり、上方側に配置した螺旋状部分５２Ｚと、中間部分に配置した回転検出板５５Ａと、下方側に配置した歯車５３Ｂとを、一体にのものにして構成してある。
【００７２】
なお、ここでは、螺旋状部分５２Ｚの加工と摩耗時の交換とを容易にするために、図４の〔送出体分割構成〕のように、軸穴部分５２Ｄと回り止めの用の溝部分５２Ｒとを設けた螺旋状部分５２Ｚと、軸穴部分５２Ｄに差し込む軸部分５２Ｅと、溝部分５２Ｒに入れ込む突起部分５２Ｓと、回転検出板５５Ａと、歯車５３Ｂとを一体にした軸側部分５２Ｔとに分割したものを、一体に組み合わせて、送出体５２を構成してある。
【００７３】
回転検出板５５Ａの切欠部分５５Ａ２と切り欠いていない板部分５２Ｂ１との差異を検出するための検出素子５５Ｂ・５５Ｃは回転検出板５５Ａを挟むように対向して配置するとともに中間保持板５７に固定してある。
【００７４】
そして、回転検出板５５Ａと検出素子５５Ｂ・５５Ｃは、図４の〔回転量検出構成〕ような配置関係になるように構成してあり、回転検出板５５Ａが１回転したことを検出できるとともに、切欠部分５５Ａ２の箇所で送出体５２の回転を停止させることによって、遊技球１０が螺旋状部分５２Ｚの凸部５２Ｂから落下するとともに、入込通路８２Ｂ１にある次の遊技球１０が待機位置６５Ｘに位置づけられるようにするための回転量検出器５５を構成しているものである。
【００７５】
検出素子５５Ｂ・５５Ｃは、一方を発光素子、例えば、発光ダイオードとし、他方を受光素子、例えば、ホトトランジスタとした光学的検出素子してあり、切欠部分５５Ａ２では光が透過し、板部分５５Ａ１では光が遮断されるので、その透過と遮断との差異によって、検出板５５Ａの１回転を検出することができるようにしてある。
【００７６】
なお、検出素子５５Ｂ・５５Ｃを後記の検出器Ｓ２と同様にホール素子を用いて構成することもできる。この場合には、検出板５５Ａを導磁性材に変更する必要があることは言うまでもない。また、発振コイルの正面に検出板５５Ａの面を通過させて、切欠部分５５Ａ２では発振時の出力を、板部分５５Ａ１では発振停止時の出力を得る検出素子（以下、発振検出素子という）にするようにに構成することもできる。
【００７７】
検出部分Ｓ１２・Ｓ１４は、遊技球１０が導磁性材料、例えば、鉄鋼材の場合には、磁性的検出素子、例えば、ホール効果を用いて検出するホール素子、または、上記の検出素子５５Ｂ・５５Ｃと同様の光学的検出素子を用い、非導磁性材、例えば、セラミックス材・非磁性金属材の場合には、上記の光学的検出素子、または、上記の発振検出素子を用いて構成した検出器である。
【００７８】
そして、検出部分Ｓ１２・Ｓ１４を、例えば、上記のホール素子とした場合には、図５の〔要部検出出力〕のように、遊技球１０が無いときの出力は低レベルＥ１になり、遊技球１０が有るきとの出力は、検出部分Ｓ１２・Ｓ１４２の正面に遊技球１０の中心が位置付けられているときは検出出力が高レベルＥ３になり、検出部分Ｓ１２・Ｓ１４の正面に遊技球１０と遊技球１０との間の部分が位置付けられているときは中レベルＥ２になる。
【００７９】
そして、遊技球１０が連続して移動しているときは、遊技球１０が１個通過するごとに高レベルＥ３と中レベルＥ２との間を変化する脈流状の変化を行う出力が得られるので、これら検出出力の差異にもとづいて、遊技球１０の有無と、遊技球１０の滞留と、遊技球１０の通過数量とを検出することができる。
【００８０】
この検出は、制御部３０、例えば、図５のような制御部３０のデータ用メモリ３５に上記の各レベルＥ１・Ｅ２・Ｅ３に対応するデータ値を記憶しておき、このデータ値と検出器Ｓ２の検出出力とを時計回路３６から得られる所定の時間間隔によりＣＰＵ３２で比較して判別することにより、レベルＥ３とレベルＥ２との脈流状の変化の数を計数することによって遊技球１０の通過数量を検出することができ、また、遊技球１０の停滞を検出する場合は、レベルＥ１が検出されているときには遊技球１０の停滞が無く、レベルＥ３またはレベルＥ２もしくはレベルＥ３とレベルＥ２の間のレベルが検出されているときは遊技球１０が滞留しているものとして検出することができる。
【００８１】
なお、検出器Ｓ１２・Ｓ１４に光学的検出素子を用いる場合には、取り付ける箇所における遊技球１０の通路に光を通過させて検出する構成を設けるか、または、上記の検出素子５５Ｂ・５５Ｃと同様の光学的検出素子を同一側に設けて、光の反射により検出する構成にすることができる。また、上記の発振検出素子によって検出する構成に変更することもできる。
【００８２】
制御３０は、箱体５６の内部または外部の適宜の箇所に設けることができる。そして、例えば、図５の〔要部ブロック構成〕のように、ＣＰＵ３２、例えば、マイクロコンピュータを主体にして制御処理を行う制御処理部分３０Ａを設けて構成してあり、検出器Ｓ１２・Ｓ１４、回転量検出器５５などからの各検出信号と、金銭処理装置２１０からの指令信号などの指令信号とを、遊技球貸付装置２５０に設けた所要の設定操作行うための設定操作部分３７からの設定操作信号とを、入出力ポート３１に与えて、これら信号によるデータを作業用メモリ３３に記憶する。
【００８３】
また、作業用メモリ３３に記憶したデータと、データ用メモリ３５に予め記憶した制御処理に必要な所定のデータと、時計回路３６から得られる時間的なデータとを、処理用メモリ３４に記憶した図６の制御処理フローのプログラムによって処理し、その処理によって得られた各制御信号を、入出力ポート３１から所要の各制御部分、例えば、電動機５４などの制御対象に与えて制御する。
【００８４】
さらに、供給路８２Ｂに属する通路部分に設けた検出部分（図示せず）によって、この通路部分に遊技球１０が無く遊技球１０の貸付を行えないことを表示するための表示と、送出した遊技球１０の数量、送出路７０に属する部分に遊技球１０が停滞しているために遊技球１０の送出が行えない旨の警報表示など表示する表示行う図７の貸出数表示器２５１などを含む表示部分３８に表示信号を与えるようにしてある。
【００８５】
また、制御部３０は、例えば、独立した制御部、または、遊技球貸付装置２００全体もしくはパチンコ台島装置５００全体を制御処理する制御部と一体にしたもので構成できるが、図６の制御処理フローでは、遊技球貸付装置２００全体またはパチンコ台島装置５００全体を制御処理するメイン制御処理ルーチンのサブルーチンとして構成してあり、例えば、２秒ごとに、メイン制御処理ルーチンから図６の制御処理フローに移行してくるように仕組まれているものである。
【００８６】
なお、各ステップにおいて、待ち時間が長くなるものは、図６の制御処理フローには図示していないが、その待ち時間の状態である旨のフラグを作業用メモリ３３に記憶して、一旦、メイン制御処理ルーチンに戻り、所定の時点に、そのフラグに対応するステップ箇所に戻るように制御するものである。また、検出部分Ｓ１２またはＳ１４は、このうちのいずれか１つを設けているものとする。
【００８７】
〔制御処理フローの説明〕
以下、図６の制御処理フローを説明する。
◆ステップＳＰ１では、指令データを取り込んで、次のステップＳＰ２に移行する。
【００８８】
◆ステップＳＰ２では、指令データが遊技球１０を送出するための送出指令であるか否かを判別する。送出指令であるときは次のステップＳＰ３に移行し、そうでないときはメイン制御処理ルーチンの所定のステップ箇所に移行する。なお、送出指令であるときは、その送出指令による遊技球１０の送出数量（以下、指令送出数という）を作業用メモリ３３の所定の記憶箇所に記憶する。
【００８９】
◆ステップＳＰ３では、供給路８２Ｂに属する通路部分から遊技球１０が供給されているか否かを判別する。遊技球１０が供給されているときは次のステップＳＰ４に移行し、そうでないときはステップＳＰ１１に移行する。ここでの判別は、供給路８２Ｂに属する通路部分に設けた検出部分（図示せず）の検出出力が、遊技球１０が有るときの出力レベルになっているか否かによって判別する。
【００９０】
◆ステップＳＰ４では、後記のステップＳＰ１１で行った貸出不能警報を解除して次のステップＳＰ５に移行する。なお、貸出不能警報を行っていないときは、そのまま次のステップＳＰ５に移行する。
【００９１】
◆ステップＳＰ５では、送出路７０に属する部分に遊技球１０が滞留しているか否かを判別する。滞留しているときはステップＳＰ１２に移行し、そうでないときは次のステップＳＰ６に移行する。ここでの判別は、検出器Ｓ１２またはＳＰ１４の検出出力が、遊技球１０が有るときの出力レベルのまま変化しない状態になっているか否かによって判別する。
【００９２】
◆ステップＳＰ６では、遊技球１０を１個だけ送出した後に次のステップＳＰ７に移行する。ここでの送出は制御部３０から電動機５４に駆動電源（図示せず）を与えた後に、回転検出板５５Ａが回転して切欠部分５５Ａ２が再び検出素子５５Ｂ・５５Ｃの箇所にきたときの検出出力が得られたときに駆動電源を遮断することによって、螺旋状部分５２を１回転させることにより遊技球１０を１個だけ送出する。なお、電動機５４がパルスモータの場合には、上記の１回転に対応する回転を行うために必要な数のパルスを与える。
【００９３】
◆ステップＳＰ７では、送出した遊技球１０の数量を図７の貸出数表示器２５１、例えば、７セグメント文字表示素子を所要の桁数だけ並べた表示器または液晶表示器に表示して次のステップＳＰ８に移行する。ここでの表示数は、このステップＳＰ７の処理を行うたびごとに、検出部分Ｓ１２またはＳ１４から遊技球１０が１個だけ通過したことを表す検出出力が得られていることを確認した後に、作業用メモリ３３の所定の記憶箇所の値に「１」を加算して得られる数値（以下、送出記憶数という）を表示する。なお、検出部分Ｓ１２またはＳ１４から上記の検出出力が得られなかった場合には、何らかの原因、例えば、前の遊技球１０と後の遊技球１０との間が空いてしまったことが原因で、後の遊技球１０が停止したままになっているため、螺旋状部分５２Ｚは回転したが遊技球１０が送出されないという事態もあり得るので、上記の「１」を加算せずに、次のステップＳＰ８に移行する。
【００９４】
◆ステップＳＰ８では、上記の送出記憶数が上記の指令送出数に達しているか否かを判別する。指令送出数に達しているときは、次のステップＳＰ９に移行し、そうでないときはステップＳＰ３に戻る。ここでの判別は、上記の送出記憶数が上記の指令送出数と同一になっているか否かによって判別する。
【００９５】
◆ステップＳＰ９では、貸出数表示器２５１に、送出が完了した旨を表す完了表示、例えば、７セグメント文字表示素子の場合には「ＥＮＤ」の文字を、また、液晶表示器の場合には「終了」の文字を短い時間、例えば、５秒間だけ表示するとともに、上記の送出記憶数と指令送出数との記憶を消去した後に、メイン制御処理ルーチンの所定のステップ箇所に戻る。なお、必要に応じて、完了表示の際に短い警音を発生させる。
【００９６】
◆ステップＳＰ１１では、表示灯２０１に、貸出が不能なことを警報するための不能警報表示、例えば、点滅表示を行わせた状態で、ステップＳＰ３に移行する。なお、必要に応じて、図７の揚送部分８３Ａに揚送動作を開始させる制御信号または指令信号を与える。
【００９７】
◆ステップＳＰ１２では、電動機５４が回転動作しているときは強制的に停止させるとともに、作業用メモリ３３に、ステップＳＰ１５による警報解除があるまで、停止状態を保持させるための滞留を表すフラグを記憶した後に、次のステップＳＰ１３に移行する。
【００９８】
◆ステップＳＰ１３では、貸出数表示器２５１に、送出路７０に属する部分で遊技球１０が滞留していることを警報するための滞留警報表示、例えば、７セグメント文字表示素子の場合には「ＳＴＯＰ」の文字を、また、液晶表示器の場合には「停滞」の文字を表示した後に、次のステップＳＰ１４に移行する。なお、必要に応じて、滞留表示の際に短い警音を発生させる。
【００９９】
◆ステップＳＰ１４では、滞留が解消したか否かを判別する。滞留が解消したときは次のステップＳＰ１５に移行し、そうでないときは、適宜の待ち時間、例えば、２秒を経過した後に、再び、このステップＳＰ１４の判別を行う。
【０１００】
◆ステップＳＰ１５では、貸出数表示器２５１に表示している滞留警報表示を消去するとともに、ステップＳＰ１２で記憶した滞留を表すフラグを消去した後に、ステップＳＰ６に移行する。
【０１０１】
また、上記の実施例の構成は、他の目的に用いる球体、例えば、上記のボールベアリング用の球体などを送出するための球体送出装置にも適用し得ることは言うまでもない。
【０１０２】
〔変形実施〕
この発明は次のように変形して実施することを含むものである。
【０１０３】
（１）回転量検出器５５を他の検出構成、例えば、検出板５５Ａを歯車に変更して、歯車の歯形の移動数をホール素子で検出する構成などに変更して構成する。
【０１０４】
（２）螺旋状部分５２Ｚの山形部分５２Ｂ・溝部分５２Ｃを、三角形、先端を丸くした三角形、曲線形などの他の形状に変更して構成する。
（３）制御部３０を球体送出装置２５０専用の制御部にして構成する。
（４）制御部３０を、ＣＰＵ構成によらず、ディスクリートな回路構成によって構成する。
【０１０５】
【発明の効果】
この発明によれば、以上のように、第１の構成では、入れ込まれた球体を螺旋状部分の螺旋の傾斜に沿った入込通路と下方案内通路との連続箇所を球体送出の待機位置しているので、上方の堆積した球体の重量と、球体の走行による衝撃とが、縦方向通路の壁部で受け止められ、螺旋状部分に対する球体の重量負荷と走行衝撃とを低減できる。
【０１０６】
第２の構成てせは、供給路に下端側に属する縦方向の通路を螺旋状部分の螺旋への入口付近で入込通路に連続させているので、上方側に堆積した球体の重量が螺旋状部分に直接的に掛からず、螺旋状部分の回転に対する加勢をを低減できる。
【０１０７】
第３の構成では、螺旋状部分の螺旋を一重の螺旋にするとともに、螺旋のピッチＰ１と、凹部の直径とを球体の直径と同程度の寸法で形成しているので、螺旋状部分の螺旋の傾斜が小さくなり、上方側に堆積した球体の重量による螺旋状部分回転に対する加勢を低減できる。
【０１０８】
第４の構成では、送出体を着磁した回転子Ｒ１をもつ電動機で駆動しているので、電動機５４の非通電時でも、堆積した球体の重量による螺旋状部分の回転を制止できる。
【０１０９】
第５の構成では、螺旋状部分と一体にして配置した回転検出板の切欠部分によって検出した回転量検出出力にもとづいて螺旋状部分５２Ｚの回転量を制御しているので、減速歯車機構などの回転伝導部分に故障が生じても、球体の送出数量を正確に制御できる。
【０１１０】
第６の構成では、縦方向通路または送出路の入口側に属する通路部分に配置した検出部分で検出した球体の通過数量が、制御部に与えた送出数量と一致するまで螺旋状部分を回転させるので、球体が途切れ途切れになった場合にも、正確な送出数量を送出できる。また、第７の構成では、球体の滞留を検出して球体の送出しているので、縦方向通路などに球体が詰まり込んで装置を故障させることを防止できる。
【０１１１】
そして、第８の構成では、上記の第１の構成〜第７の構成による効果をもつ利用装置、例えば、パチンコ台島装置を提供できる。という特長が得られる効果がある。
【図面の簡単な説明】
図面中、図１〜図６はこの発明の実施例を、また、図７〜図１０は従来技術を示し、各図の内容は次のとおりである。
【図１】要部構成縦断正面図
【図２】要部構成縦断側面図
【図３】要部構成部分断面斜視図
【図４】要部構成内部底面・横断面・部分断面正面図
【図５】要部ブロック構成・要部検出出力図
【図６】要部制御処理フロー図
【図７】全体構成斜視図
【図８】要部構成縦断側面図
【図９】要部構成縦断側面図
【図１０】要部構成縦断側面図
【符号の説明】
１０  遊技球（球体）
３０  制御部
３０Ａ  制御処理部分３０Ａ
３１  入出力ポート
３２  ＣＰＵ
３３  作業用メモリ
３４  処理用メモリ
３５  データ用メモリ
３６  時計回路
３７  設定操作部分
３８  表示部分
５２  送出体
５２Ａ  軸心
５２Ｂ  凸部（山部分）
５２Ｂ１  外角
５２Ｂ２  外面
５２Ｃ  凹部（溝部分）
５２Ｄ  軸穴部分
５２Ｅ  軸部分
５２Ｒ  溝部分
５２Ｓ  突起部分
５２Ｚ  螺旋状部分
５２ａ  軸
５２ｂ  軸
５３  減速歯車機構
５３Ａ  歯車
５３Ｂ  歯車
５３Ｘ  歯車伝動機構
５４  電動機
５４Ａ  軸
５４Ｂ  取付用ねじ
５５  回転検出器
５５Ａ  回転検出板
５５Ａ１  切欠部分
５５Ａ２  板状部分
５５Ｂ・５５Ｃ  検出素子
５３Ｘ  歯車伝動機構
５６  箱体
５６Ａ  突起・案内穴
５６Ｂ  組付用ねじ
５６Ｄ  分割箇所
５６Ｅ  開口部分
５６Ｆ  保持用突起
５６Ｒ  壁部
５６ｘ  軸受穴
５７  中間保持板
５７ｘ  軸受穴
６５  下方案内通路
６５Ａ  壁部
６５Ｂ  傾斜面
６５Ｘ  連続箇所
６６  縦方向通路
７０  送出路
７０Ａ  末端側部分（下向き状態）
７０Ｂ  末端側部分横向き状態
７０Ｄ  通路部分
７０Ｘ  縦方向通路
８１  下部タンク
８２  上部タンク
８２Ａ  排出口
８２Ｂ  供給路
８２Ｂ１  入込通路
８２Ｂ２  縦方向通路
８２Ｘ  螺旋入口付近
８３  揚送路
１００  パチンコ台
１０１  遊技用受皿１０１
２００  遊戯球貸付装置２００
２１０  金銭処理装置２１０
２１１  紙幣入口
２１２  硬貨入口
２５０  球体送出装置
５００  パチンコ台島装置
Ｄ１  直径
Ｄ２  直径
Ｅ１  低レベル
Ｅ２  中レベル
Ｅ３  高レベル
Ｐ１  ピッチ
Ｒ１  着磁回転子
Ｓ１  固定子
Ｓ１２・Ｓ１４  検出部分
γ  傾斜
【図１】
0004755354.tif 000002
【図２】
0004755354.tif 000003
【図３】
0004755354.tif 000004
【図４】
0004755354.tif 000005
【図５】
0004755354.tif 000006
【図６】
0004755354.tif 000007
【図７】
0004755354.tif 000008
【図８】
0004755354.tif 000009
【図９】
0004755354.tif 000010
【図１０】
0004755354.tif 000011